(57)【要約】【課題】撮像装置を含むネットワーク接続されたシステムで、撮像装置の設定を、ネットワーク接続される他の機器を用いて直接且つ煩雑な操作なしに実行する。【解決手段】無線ＬＡＮルータ(２)とデジタルカメラ４とを含む無線通信システムで、無線ＬＡＮルータ(２)は、デジタルカメラ４に必要な機能設定情報が光変調された可視光を発光する発光部(２ａ)を備え、デジタルカメラ４は、被写体となる画像を撮影する撮像系11〜13と、無線ＬＡＮルータ(２)と無線通信する通信処理部25及び無線ＬＡＮアンテナ29と、無線ＬＡＮルータ(２)が発光する、設定情報が光変調された可視光を撮像系11〜13で受光させ、受光した当該可視光から光変調した機能設定情報を復調し、復調した機能設定情報を設定する制御部19とを備える。【選択図】図２
2015177417.tif 000002
【特許請求の範囲】
【請求項１】
無線装置と、上記無線装置と無線通信する撮像装置とを含む無線通信システムであって、
上記無線装置は、
上記撮像装置の機能設定に必要な機能設定情報が光変調された可視光を発光する発光手段を備え、
上記撮像装置は、
被写体となる画像を撮影する撮像手段と、
上記無線装置と無線通信する無線通信手段と、
上記無線装置が発光する、上記機能設定情報が光変調された可視光を上記撮像手段で受光し、受光した当該可視光から光変調した上記機能設定情報を復調する復調手段と、
上記復調手段で復調した上記機能設定情報を当該撮像装置に設定する設定手段とを備えた
ことを特徴とする無線通信システム。
【請求項２】
上記無線装置の発光手段は、上記撮像装置が当該無線装置と無線通信するのに必要な接続設定情報が光変調された可視光を発光し、
上記撮像装置の設定手段は、上記復調手段で復調した上記接続設定情報を上記無線通信手段に設定する
ことを特徴とする請求項１記載の無線通信システム。
【請求項３】
上記無線装置の発光手段は、上記撮像装置が上記撮像手段で画像を撮影する際の撮影条件設定情報が光変調された可視光を発光し、
上記設定手段は、上記復調手段で復調した上記撮影条件設定情報に基づいて上記撮像手段に設定する
ことを特徴とする請求項１記載の無線通信システム。
【請求項４】
他の装置の機能設定に必要な機能設定情報が光変調された可視光を発光する発光手段を備えたことを特徴とする無線装置。
【請求項５】
他の装置と無線ＬＡＮにより無線通信を行ない、
上記機能設定情報は、ＳＳＩＤ（Ｓｅｒｖｉｃｅ  Ｓｅｔ  Ｉｄｅｎｔｉｆｉｅｒ）、パスワード、セキュリティ情報、及び当該無線装置と接続可能な装置であることを示す認証ＩＤ情報の少なくとも１つを含む
ことを特徴とする請求項４記載の無線装置。
【請求項６】
上記機能設定情報を変更する変更手段をさらに備えたことを特徴とする請求項４または５記載の無線装置。
【請求項７】
被写体となる画像を撮影する撮像手段を有する撮像装置であって、
外部の無線装置が発光する、機能設定情報が光変調された可視光を上記撮像手段で受光し、受光した当該可視光から光変調された上記機能設定情報を復調する復調手段と、
上記無線装置と無線通信する無線通信手段と、
上記復調手段で復調した上記機能設定情報を当該存在装置に設定する設定手段と
を備えたことを特徴とする撮像装置。
【請求項８】
上記無線通信手段は、上記無線装置と無線ＬＡＮにより無線通信を行ない、
上記復調手段は、ＳＳＩＤ（Ｓｅｒｖｉｃｅ  Ｓｅｔ  Ｉｄｅｎｔｉｆｉｅｒ）、パスワード、セキュリティ情報、及び当該無線装置と接続可能な装置であることを示す認証ＩＤ情報の少なくとも１つを含む接続設定情報を復調する
ことを特徴とする請求項７記載の撮像装置。
【請求項９】
上記復調手段は、上記機能設定情報に含まれる、当該無線装置と接続可能な装置であることを示す認証ＩＤ情報を復調し、
復調した認証ＩＤ情報が当該撮像装置を示すＩＤであるか否かを判定する判定手段をさらに備え、
上記設定手段は、上記判定手段で上記認証ＩＤが当該撮像装置を示すＩＤであると判定した場合、上記復調手段で復調した上記機能設定情報を上記撮像装置に設定する
ことを特徴とする請求項７記載の撮像装置。
【請求項１０】
上記無線装置は、上記撮像手段で画像を撮影する際の撮影条件設定情報が光変調された可視光を発光し、
上記設定手段は、上記復調手段で復調した上記撮影条件設定情報に基づいて上記撮像手段に設定する
ことを特徴とする請求項７記載の撮像装置。
【請求項１１】
他の装置の機能設定に必要な機能設定情報が光変調された可視光を発光する発光ステップを含むことを特徴とする無線装置の機能設定情報送信方法。
【請求項１２】
被写体となる画像を撮影する撮像手段を有する撮像装置の機能設定方法であって、
無線装置が発光する、機能設定情報が光変調された可視光を上記撮像手段で受光し、受光した当該可視光から光変調された上記機能設定情報を復調する復調ステップと、
上記復調ステップで復調した上記機能設定情報を当該撮像装置に設定する設定ステップと
を含むことを特徴とする撮像装置の設定方法。
【請求項１３】
無線装置が内蔵するコンピュータを、
他の装置の機能設定に必要な機能設定情報が光変調された可視光を発光する発光手段として機能させることを特徴とするプログラム。
【請求項１４】
撮像手段を備えた装置が内蔵するコンピュータを、
無線装置が発光する、機能設定情報が光変調された可視光を上記撮像手段で受光し、受光した当該可視光から光変調された上記機能設定情報を復調する復調手段、
上記無線装置と無線通信する無線通信手段、及び
上記復調手段で復調した上記機能設定情報を当該装置に設定する設定手段
として機能させることを特徴とするプログラム。
【発明の詳細な説明】
【技術分野】
【０００１】
本発明は、例えばデジタルカメラを含むネットワーク接続されたシステムに好適な無線通信システム、無線装置、撮像装置、無線接続設定方法及びプログラムに関する。
【背景技術】
【０００２】
バーコードに記録されているアクセスポイント情報をカメラで撮像して読み取る場合に、比較的大きな画像を得るべく、自動的にマクロ撮像モードに設定するようにした技術が提案されている。（例えば、特許文献１）
【先行技術文献】
【特許文献】
【０００３】
【特許文献１】特開２００５−２８６４３９号公報
【発明の概要】
【発明が解決しようとする課題】
【０００４】
上記特許文献に記載された技術では、カメラのユーザ自身が、必要なバーコード情報を例えば別途用意されたプリント書面等の中から選択し、選択したバーコードの接写撮像を行なうことで、アクセスポイントへの接続設定を行なう場合について説明している。したがって、設定に必要な情報の選択自体はユーザに委ねられており、特に選択肢が多い場合はユーザにとって煩雑な作業となり得る。
【０００５】
本発明は上記のような実情に鑑みてなされたもので、その目的とするところは、撮像装置を含むネットワーク接続されたシステムで、撮像装置の機能設定を、ネットワーク接続される他の機器を用いて直接且つ煩雑な操作なしに実行することが可能な無線通信システム、無線装置、撮像装置、無線接続設定方法及びプログラムを提供することにある。
【課題を解決するための手段】
【０００６】
本発明の一態様は、無線装置と、上記無線装置と無線通信する撮像装置とを含む無線通信システムであって、上記無線装置は、上記撮像装置の機能設定に必要な機能設定情報が光変調された可視光を発光する発光手段を備え、上記撮像装置は、被写体となる画像を撮影する撮像手段と、上記無線装置と無線通信する無線通信手段と、上記無線装置が発光する、上記機能設定情報が光変調された可視光を上記撮像手段で受光し、受光した当該可視光から光変調した上記機能設定情報を復調する復調手段と、上記復調手段で復調した上記機能設定情報を当該撮像装置に設定する設定手段とを備えたことを特徴とする。
【発明の効果】
【０００７】
本発明によれば、撮像装置を含むネットワーク接続されたシステムで、撮像装置の機能設定を、ネットワーク接続される他の機器を用いて直接且つ煩雑な操作なしに実行することが可能となる。
【図面の簡単な説明】
【０００８】
【図１】本発明の一実施形態に係る無線ＬＡＮシステムの構成を示す図。
【図２】同実施形態に係るデジタルカメラの電子回路の機能構成を示すブロック図。
【図３】同実施形態に係るインクジェット複合機の電子回路の機能構成を示すブロック図。
【図４】同実施形態に係るデジタルカメラによる無線ＬＡＮ接続設定時の処理内容を示すフローチャート。
【図５】同実施形態に係るデジタルカメラによる撮影条件設定時の処理内容を示すフローチャート。
【発明を実施するための形態】
【０００９】
以下、本発明を家屋内で構築する無線ＬＡＮシステムに適用した場合の一実施形態について図面を参照して説明する。  
［実施形態の構成］  
図１は、同実施形態に係る無線ＬＡＮシステム全体の構成を示す図である。同図で、インターネットを含むネットワーク１に対して、無線ＬＡＮルータ２が接続され、この無線ＬＡＮルータ２を中心とした有効範囲内が無線ＬＡＮを介してインターネット利用可能な環境となる。
【００１０】
当該環境下に、無線ＬＡＮ対応のインクジェット複合機３、及びデジタルカメラ４が設置、あるいは持ち込まれて、画像を含む各種データの無線通信による送受が可能となる。
【００１１】
さらに上記無線ＬＡＮルータ２、及びインクジェット複合機３は、可視光通信の発光部２ａ，３ａを備える。一方のデジタルカメラ４は、可視光通信の受信機能を有しているものとする。
【００１２】
図２は、上記デジタルカメラ４の電子回路の機能構成を示すブロック図である。同図では、カメラ筐体の前面に配設される光学レンズユニット１１を介して、固体撮像素子、例えばＣＭＯＳイメージセンサ（ＩＳ）１２の撮像面上に被写体の光像を入射して結像させる。
【００１３】
スルー画像表示、あるいはライブビュー画像表示とも称されるモニタ状態では、このＣＭＯＳイメージセンサ１２での撮像により得た画像信号を画像処理部１３に送る。画像処理部１３は、アナログの画像信号をデジタル化し、デジタル値の画像データに対して適宜必要な画像処理を施して輝度色差系（ＹＵＶ）の画像データに変換する。
【００１４】
画像処理部１３は、変換後の画像データから表示用に画素数及び階調ビットを大幅に減じた画像データを作成し、システムバスＢを介して表示部１４へ送る。表示部１４では、送られてきた画像データに基づいてスルー画像を表示する。
【００１５】
なお後述する可視光通信による信号受信時に、画像処理部１３は画像中の受光信号の明滅パターンから受信した信号を復調する。
【００１６】
表示部１４は、カメラ筐体の背面側に設けられ、例えばバックライト付きのカラー液晶パネルとそのコントローラとで構成される。この表示部１４の画面上に一体にして透明導電膜を用いたタッチ入力部１５が構成される。
【００１７】
このタッチ入力部１５でユーザが手指等で表面をタッチ操作すると、タッチ入力部１５では操作された座標位置を算出し、算出した座標信号を上記システムバスＢを介して後述する制御部１９に送出する。
【００１８】
また、上記光学レンズユニット１１と同じくカメラ筐体前面には、マイクロホン１６が配設され、被写体方向の音声が入力される。マイクロホン１６は入力した音声を電気信号化し、音声処理部１７へ出力する。
【００１９】
音声処理部１７は、音声単体での録音時、音声付き静止画像撮影時、及び動画像の撮影時にマイクロホン１６から入力する音声信号をデジタルデータ化する。さらに音声処理部１７は、デジタル化した音声データの音圧レベルを検出する一方で、該音声データを所定のデータファイル形式、例えばＡＡＣ（ｍｏｖｉｎｇ  ｐｉｃｔｕｒｅ  ｅｘｐｅｒｔｓ  ｇｒｏｕｐ−４  Ａｄｖａｎｃｅｄ  Ａｕｄｉｏ  Ｃｏｄｉｎｇ）形式でデータ圧縮して音声データファイルを作成し、後述する記録媒体へ送出する。
【００２０】
加えて音声処理部１７は、ＰＣＭ音源等の音源回路を備え、音声の再生時に送られてくる音声データファイルの圧縮を解いてアナログ化し、このデジタルカメラ１０の筐体背面側に設けられるスピーカ１８を駆動して、放音させる。
【００２１】
以上の回路を制御部１９が統括して制御する。この制御部１９は、メインメモリ２０、プログラムメモリ２１と直接接続される。メインメモリ２０は、例えばＳＲＡＭで構成され、ワークメモリとして機能する。プログラムメモリ２１は、例えばフラッシュメモリなどの電気的に書換可能な不揮発性メモリで構成され、動作プログラムや固定データ等を記憶する。
【００２２】
制御部１９はプログラムメモリ２１から必要なプログラムやデータ等を読出し、メインメモリ２０に適宜一時的に展開して記憶させながら、このデジタルカメラ１０全体の制御動作を実行する。
【００２３】
さらに上記制御部１９は、キー操作部２２から直接入力される各種キー操作信号、及び上記タッチ入力部１５からのタッチ操作に応じた座標信号に対応して制御動作を実行する。
【００２４】
キー操作部２２は、例えば電源キー、シャッタレリーズキー、ズームアップ／ダウンキー、撮影モードキー、再生モードキー、メニューキー、カーソル（「↑」「→」「↓」「←」）キー、セットキー、解除キー、ディスプレイキー等を備える。
【００２５】
制御部１９は、システムバスＢを介して上記画像処理部１３、表示部１４、タッチ入力部１５、及び音声処理部１７の他、さらにフラッシュ駆動部２３、イメージセンサ（ＩＳ）駆動部２４、通信処理部２５、及びメモリカードコントローラ２６と接続される。
【００２６】
フラッシュ駆動部２３は、静止画像撮影時に制御部１９からの制御信号を受けて、複数の白色高輝度ＬＥＤで構成されるフラッシュ部２７を撮影タイミングに同期して点灯駆動する。
【００２７】
イメージセンサ駆動部２４は、その時点で設定されている撮影条件等に応じて上記ＣＭＯＳイメージセンサ１２の走査駆動を行なう。
【００２８】
上記画像処理部１３は、上記キー操作部２３のシャッタレリーズキー操作に伴う画像撮影時に、画像データを所定のデータファイル形式、例えばＪＰＥＧ（Ｊｏｉｎｔ  Ｐｈｏｔｏｇｒａｐｈｉｃ  Ｅｘｐｅｒｔｓ  Ｇｒｏｕｐ）であればＤＣＴ（離散コサイン変換）やハフマン符号化等のデータ圧縮処理を施してデータ量を大幅に削減した画像データファイルを作成する。作成した画像データファイルは、システムバスＢ、上記メモリカードコントローラ２６を介してメモリカード２８に転送して保存される。
【００２９】
また画像処理部１３は、再生モード時にメモリカード２８からメモリカードコントローラ２６を介して読出されてくる画像データをシステムバスＢを介して受取る。画像処理部１３は、この受取った画像データを記録時とは逆の手順で圧縮を解く伸長処理により元のサイズの画像データを得、得た画像データのデータ量を減じた後にシステムバスＢを介して上記表示部１４で表示させる。  
上記通信処理部２５は、無線ＬＡＮアンテナ２９を介して上記無線ＬＡＮルータ２、インクジェット複合機３とＩＥＥＥ８０２．１１ａ／ｂ／ｇ／ｉ／ｎ規格に則ったデータの送受を行なう。
【００３０】
上記メモリカードコントローラ２６は、カードコネクタ３０に装着されたメモリカード２８と接続される。メモリカード２８は、このデジタルカメラ１０に着脱自在に装着され、このデジタルカメラ１０の記録媒体となる、画像ファイル等の記録用メモリである。メモリカード２８は、内部に不揮発性メモリであるフラッシュメモリと、その駆動回路とが設けられる。
【００３１】
次に図３により上記インクジェット複合機３の機能構成について説明する。  
同図中、４１がこのインクジェット複合機３全体の制御動作を司る制御部であり、ＣＰＵとメインメモリ、プログラムメモリ等からなる。この制御部４１に対し、システムバスＢ２を介して印刷部４２、スキャナ部４３、カードリーダ／ライタ４４、表示部４５、タッチ入力部４６、記憶部４７、画像解析部４８、通信処理部４９、可視光発信部５０、及びＵＳＢ（Ｕｎｉｖｅｒｓａｌ  Ｓｅｒｉａｌ  Ｂｕｓ）インタフェース（Ｉ／Ｆ）５１と接続される。
【００３２】
印刷部４２は、紙送り機構と印刷ヘッド走査機構、及びインクジェット方式の印刷ヘッド駆動機構等を有し、与えられる印字データに応じた印刷動作を実行する。
【００３３】
スキャナ部４３は、ライン状に配置されたイメージセンサアレイと光源、及びそれらの走査機構を備え、スキャン台に載置されたドキュメント等の画像イメージをスキャンして取得する。
【００３４】
カードリーダ／ライタ４４は、ＳＤ（Ｓｅｃｕｒｅ  Ｄｉｇｉｔａｌ）メモリカードなど複数の規格のメモリカードを装脱自在なスロットと、挿入されたメモリカードに対するデータの読出し／書込みを行なう回路とを有する。
【００３５】
表示部４５は、例えばインクジェット複合機３の筐体上面に可倒式に設けられたカラー液晶表示パネルとその駆動回路とを含む。この表示部４５に一体にして透明導電膜を用いた上記タッチ入力部４６が設けられ、ユーザの手指やスタイラスペンのタッチ操作に伴う座標信号補検出し、操作信号として出力する。
【００３６】
記憶部４７は、上記印刷部４２で印刷する画像等のデータや、上記スキャナ部４３でのスキャンにより得た画像イメージのデータ、後述する画像解析後の解析データ等を制御部４１の制御に基づいて記憶する。
【００３７】
画像解析部４８は、上記スキャナ部４３でのスキャンにより得た画像イメージに対する画像解析処理を行ない、輝度及び各原色成分のヒストグラム、色空間、及びホワイトバランスの色温度等の算出、及び顔検出を行なう。
【００３８】
そして、算出した輝度及び各原色成分のヒストグラム、色空間、及びホワイトバランスの色温度、及び顔検出により顔が検出された場合は、デジタルカメラ４の顔検出機能をＯＮとするカスタム撮影モードの設定情報を作成する。
【００３９】
通信処理部４９は、無線ＬＡＮアンテナ５２を介して外部の機器とＩＥＥＥ８０２．１１ａ／ｂ／ｇ／ｉ／ｎ規格に則ったデータの送受を行なう。
【００４０】
可視光発信部５０は、例えばＡＲＩＢ  ＳＴＤ−Ｔ５０  ４．０版規格に基づいた可視光通信により、画像解析部４８が作成したカスタム撮影モードの設定情報のデータ発信を行なうべく、上記発光部３ａを構成するＬＥＤ５３を発光駆動する。  
ＵＳＢインタフェース５１は、図示しないＵＳＢケーブルを用いて有線接続される外部機器との間でデータの送受を行なう。
【００４１】
次に上記実施形態の動作について説明する。  
［実施形態の第１の動作］  
上記無線ＬＡＮルータ２による無線ＬＡＮ環境下で、あらたに上記デジタルカメラ４を持ち込んでＬＡＮ接続の設定を行なう場合の第１の動作例について説明する。
【００４２】
図４は、可視光通信の受光側であるデジタルカメラ４による無線ＬＡＮへの接続設定の処理動作（図では「Ｗｉ−Ｆｉ（登録商標）設定処理」と称する）を示す。同動作は、デジタルカメラ４の初期設定メニューにおいて、例えば「可視光通信によるＷｉ−Ｆｉ接続」のようなメニュー項目を選択した上で実行される。この動作に関して、デジタルカメラ４内では、制御部１９がプログラムメモリ２１に記憶されていた該当する動作プログラムを読出してメインメモリ２０に展開して記憶させた上で実行する。
【００４３】
このとき一方の無線ＬＡＮルータ２では、無線ＬＡＮ設定送信用の可視光通信を実行するスイッチ、あるいはボタンを操作することにより、上記発光部２ａよりクライアント機器の認証コードと、無線ＬＡＮ設定情報、すなわちＳＳＩＤ（Ｓｅｒｖｉｃｅ  Ｓｅｔ  ＩＤｅｎｔｉｆｉｅｒ）、セキュリティ情報、ＭＡＣ（Ｍｅｄｉａ  Ａｃｃｅｓｓ  Ｃｏｎｔｒｏｌ）アドレス、及びパスワードとが可視光通信により発信される。
【００４４】
その処理当初に制御部１９は、可視光通信の受信があるか否かを、画像処理部１３からの画像データ中に所定の明滅パターンで輝度が変化する画素があるか否かにより判断する（ステップＳ１０１）。
【００４５】
ここで可視光通信の受信があると判断した場合（ステップＳ１０１のＹｅｓ）、制御部１９はその可視光信号のコードパターンを画像処理部１３により解析させる（ステップＳ１０２）。  
具体的に制御部１９は、デジタルカメラ４側に予め内蔵している機器認証コードパターンと、無線ＬＡＮルータ２の発光部２ａで発信される無線ＬＡＮの接続設定用の可視光のコードパターンを画像処理部１３で解析させ、まず無線ＬＡＮルータ２から発信されるコードパターン中に含まれる、クライアント機器用の認証コードパターンが、上記内蔵している機器認証コードパターンと一致するか否かを判断する（ステップＳ１０３）。
【００４６】
ここで両認証コードパターンが一致したと判断した場合（ステップＳ１０３のＹｅｓ）、制御部１９はその認証コードパターンに続けて、上記無線ＬＡＮ設定情報の可視光通信によるコードパターンを受信したか否かを判断する（ステップＳ１０４）。
【００４７】
そして、無線ＬＡＮ設定情報の可視光通信によるコードパターンを受信したと判断した場合（ステップＳ１０４のＹｅｓ）、制御部１９は受信した可視光通信のコードパターンから上記接続設定のための各情報、すなわちＳＳＩＤ、セキュリティ情報、ＭＡＣアドレス、及びパスワードを抽出し、無線ＬＡＮ接続の設定を実行する（ステップＳ１０５）。
【００４８】
その後、設定した各情報により無線ＬＡＮへの接続を実行し（ステップＳ１０６）、以上でこの図４による設定処理を完了する。
【００４９】
なお、上記ステップＳ１０１で可視光通信の受信はないと判断した場合（ステップＳ１０１のＮｏ）、上記ステップＳ１０３で両認証コードパターンが一致しないと判断した場合（ステップＳ１０３のＮｏ）、及び上記ステップＳ１０４で無線ＬＡＮ設定情報の可視光通信によるコードパターンは受信していないと判断した場合（ステップＳ１０４のＮｏ）には、上記ステップＳ１０５での設定処理は行なわず、上記無線ＬＡＮルータ２との接続は行なわないものとして、その時点ですでに設定されている、他のホットスポット等との設定状態を維持したままで無線ＬＡＮ接続し（ステップＳ１０６）、以上でこの図４の処理を完了する。
【００５０】
なお、上記動作例では、無線ＬＡＮルータ２の発光部２ａからクライアント機器の認証コードと無線ＬＡＮ設定情報とが発信されるものとして説明したが、無線ＬＡＮルータ２からクライアント機器の認証コードなしに、無線ＬＡＮ設定情報のみが発信されるような場合、デジタルカメラ４側では上記ステップＳ１０３の判断ステップの処理を省略し、受信したコードパターンが無線ＬＡＮへの接続設定のための情報であることを確認した上で設定を実行するものとしても良い。
【００５１】
［実施形態の第２の動作］  
上記無線ＬＡＮルータ２による無線ＬＡＮ環境下で、すでに上記デジタルカメラ４のＬＡＮ接続の設定を終えたものとして、デジタルカメラ４がインクジェット複合機３からの撮影条件情報によりカスタム撮影モードの設定を行なう場合の第２の動作例について説明する。
【００５２】
図５は、可視光通信の受光側であるデジタルカメラ４によるカスタム撮影モードの設定の処理動作（図では「撮影条件設定」と称する）を示す。同動作は、デジタルカメラ４の設定メニューにおいて、例えば「可視光通信による外部機器からの撮影条件設定」のようなメニュー項目を選択した上で実行される。この動作に関して、デジタルカメラ４内では、制御部１９がプログラムメモリ２１に記憶されていた該当する動作プログラムを読出してメインメモリ２０に展開して記憶させた上で実行する。
【００５３】
このとき一方のインクジェット複合機３では、ユーザが任意の画像を上記スキャナ部４３にセットした上で、撮影条件モード設定送信用の可視光通信を実行するタッチ入力部４６でのタッチ操作を行なうことにより、スキャナ部４３で画像がスキャニング処理された上で、上述したように画像解析部４８により画像解析処理が実行され、解析結果からカスタム撮影モードの設定情報が、クライアント機器の認証コードを負荷して、発光部３ａから発信される。
【００５４】
その処理当初に制御部１９は、可視光通信の受信があるか否かを、画像処理部１３からの画像データ中に所定の明滅パターンで輝度が変化する画素があるか否かにより判断する（ステップＳ２０１）。
【００５５】
ここで可視光通信の受信があると判断した場合（ステップＳ２０１のＹｅｓ）、制御部１９はその可視光信号のコードパターンを画像処理部１３により解析させる（ステップＳ２０２）。  
具体的に制御部１９は、デジタルカメラ４側に予め内蔵している機器認証コードパターンと、画像処理部１３で解析させた、インクジェット複合機３の発光部３ａで発信された撮影条件設定用の可視光のコードパターンとにより、まずインクジェット複合機３から発信されるコードパターン中に含まれる、クライアント機器用の認証コードパターンが、上記内蔵している機器認証コードパターンと一致するか否かを判断する（ステップＳ２０３）。
【００５６】
ここで両認証コードパターンが一致したと判断した場合（ステップＳ２０３のＹｅｓ）、制御部１９はその認証コードパターンに続けて、上記カスタム撮影モードで撮影条件設定用の可視光通信によるコードパターンを受信したか否かを判断する（ステップＳ２０４）。
【００５７】
そして、撮影条件設定用の可視光通信によるコードパターンを受信したと判断した場合（ステップＳ２０４のＹｅｓ）、さらに制御部１９は、プログラムメモリ２１の記憶内容から、当該デジタルカメラ４の機種によって予め決まっている、ユーザが任意に設定可能なカスタム撮影モードの数のうち、未設定のものがあるか否かにより、カスタム撮影モードの空きがあるか否かを判断する（ステップＳ２０５）。
【００５８】
ここで未設定のカスタム撮影モードがあり、まだ空きがあると判断した場合（ステップＳ２０５のＹｅｓ）、制御部１９は受信したカスタム撮影モードの撮影条件設定用の各情報、例えば色空間やホワイトバランスの色温度等を抽出して、カスタム撮影モードの設定を実行し（ステップＳ２０６）、以上でこの図５による設定処理を完了する。
【００５９】
なお、上記ステップＳ２０１で可視光通信の受信はないと判断した場合（ステップＳ２０１のＮｏ）、上記ステップＳ２０３で両認証コードパターンが一致しないと判断した場合（ステップＳ２０３のＮｏ）、上記ステップＳ２０４で受信したのは撮影条件設定用の可視光通信によるコードパターンではないと判断した場合（ステップＳ２０４のＮｏ）、及び上記ステップＳ２０５で未設定のカスタム撮影モードはなく、空きがないと判断した場合（ステップＳ２０５のＮｏ）には、上記ステップＳ２０６での設定処理は行なわず、以上でこの図５の処理を完了する。
【００６０】
［実施形態の効果］  
以上詳述した如く本実施形態によれば、デジタルカメラを含むシステム内で、デジタルカメラの各種機能設定を、ネットワーク接続される他の機器を用いて直接且つ煩雑な操作なしに実行することが可能となる。
【００６１】
特に上記デジタルカメラを無線ＬＡＮルータ２を用いた無線ＬＡＮ環境下に接続する場合に、本来は煩雑な接続設定を無線ＬＡＮルータからの可視光通信によって簡易に実行できるだけでなく、特に他の無線ＬＡＮシステムと錯綜するような場合でも、見通しできる位置にある無線ＬＡＮルータ２を用いて確実な接続設定が可能となる。
【００６２】
また上記実施形態では、インクジェット複合機３で画像をスキャンして画像解析を行なった結果から、デジタルカメラ４の撮影条件を設定可能としたので、例えばユーザは好みの画風の画像をインクジェット複合機３にセットしてスキャンさせることで、デジタルカメラ４にその画風を撮影するための条件を設定して、ユーザ自身も当該画風による撮影を楽しむことが可能となる。
【００６３】
なお上記実施形態では説明しなかったが、無線ＬＡＮルータ２がデジタルカメラ４に対して可視光通信による接続設定情報を発信するにあたり、例えばデジタルカメラの機種等に応じて接続設定情報を変更するような手段を有するものとすれば、製品としてのライフサイクルが比較的短く、新しい機種のデジタルカメラにも対応することが可能となる。
【００６４】
また上記実施形態では、無線ＬＡＮルータ２がデジタルカメラ４の接続設定を行なう際、デジタルカメラ４の機器認証用のコードパターンの一致を確認した上で実行するものとしたので、より確実な接続設定を行ない得る。
【００６５】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００６６】
以下に、本願出願の当初の特許請求の範囲に記載された発明を付記する。  
＜付記＞
［請求項１］
無線装置と、上記無線装置と無線通信する撮像装置とを含む無線通信システムであって、
上記無線装置は、
上記撮像装置の機能設定に必要な機能設定情報が光変調された可視光を発光する発光手段を備え、
上記撮像装置は、
被写体となる画像を撮影する撮像手段と、
上記無線装置と無線通信する無線通信手段と、
上記無線装置が発光する、上記機能設定情報が光変調された可視光を上記撮像手段で受光し、受光した当該可視光から光変調した上記機能設定情報を復調する復調手段と、
上記復調手段で復調した上記機能設定情報を当該撮像装置に設定する設定手段とを備えた
ことを特徴とする無線通信システム。
【００６７】
［請求項２］
上記無線装置の発光手段は、上記撮像装置が当該無線装置と無線通信するのに必要な接続設定情報が光変調された可視光を発光し、
上記撮像装置の設定手段は、上記復調手段で復調した上記接続設定情報を上記無線通信手段に設定する
ことを特徴とする請求項１記載の無線通信システム。
【００６８】
［請求項３］
上記無線装置の発光手段は、上記撮像装置が上記撮像手段で画像を撮影する際の撮影条件設定情報が光変調された可視光を発光し、
上記設定手段は、上記復調手段で復調した上記撮影条件設定情報に基づいて上記撮像手段に設定する
ことを特徴とする請求項１記載の無線通信システム。
【００６９】
［請求項４］
他の装置の機能設定に必要な機能設定情報が光変調された可視光を発光する発光手段を備えたことを特徴とする無線装置。
【００７０】
［請求項５］
他の装置と無線ＬＡＮにより無線通信を行ない、
上記機能設定情報は、ＳＳＩＤ（Ｓｅｒｖｉｃｅ  Ｓｅｔ  Ｉｄｅｎｔｉｆｉｅｒ）、パスワード、セキュリティ情報、及び当該無線装置と接続可能な装置であることを示す認証ＩＤ情報の少なくとも１つを含む
ことを特徴とする請求項４記載の無線装置。
【００７１】
［請求項６］
上記機能設定情報を変更する変更手段をさらに備えたことを特徴とする請求項４または５記載の無線装置。
【００７２】
［請求項７］
被写体となる画像を撮影する撮像手段を有する撮像装置であって、
外部の無線装置が発光する、機能設定情報が光変調された可視光を上記撮像手段で受光し、受光した当該可視光から光変調された上記機能設定情報を復調する復調手段と、
上記無線装置と無線通信する無線通信手段と、
上記復調手段で復調した上記機能設定情報を当該存在装置に設定する設定手段と
を備えたことを特徴とする撮像装置。
【００７３】
［請求項８］
上記無線通信手段は、上記無線装置と無線ＬＡＮにより無線通信を行ない、
上記復調手段は、ＳＳＩＤ（Ｓｅｒｖｉｃｅ  Ｓｅｔ  Ｉｄｅｎｔｉｆｉｅｒ）、パスワード、セキュリティ情報、及び当該無線装置と接続可能な装置であることを示す認証ＩＤ情報の少なくとも１つを含む接続設定情報を復調する
ことを特徴とする請求項７記載の撮像装置。
【００７４】
［請求項９］
上記復調手段は、上記機能設定情報に含まれる、当該無線装置と接続可能な装置であることを示す認証ＩＤ情報を復調し、
復調した認証ＩＤ情報が当該撮像装置を示すＩＤであるか否かを判定する判定手段をさらに備え、
上記設定手段は、上記判定手段で上記認証ＩＤが当該撮像装置を示すＩＤであると判定した場合、上記復調手段で復調した上記機能設定情報を上記撮像装置に設定する
ことを特徴とする請求項７記載の撮像装置。
【００７５】
［請求項１０］
上記無線装置は、上記撮像手段で画像を撮影する際の撮影条件設定情報が光変調された可視光を発光し、
上記設定手段は、上記復調手段で復調した上記撮影条件設定情報に基づいて上記撮像手段に設定する
ことを特徴とする請求項７記載の撮像装置。
【００７６】
［請求項１１］
他の装置の機能設定に必要な機能設定情報が光変調された可視光を発光する発光ステップを含むことを特徴とする無線装置の機能設定情報送信方法。
【００７７】
［請求項１２］
被写体となる画像を撮影する撮像手段を有する撮像装置の機能設定方法であって、
無線装置が発光する、機能設定情報が光変調された可視光を上記撮像手段で受光し、受光した当該可視光から光変調された上記機能設定情報を復調する復調ステップと、
上記復調ステップで復調した上記機能設定情報を当該撮像装置に設定する設定ステップと
を含むことを特徴とする撮像装置の設定方法。
【００７８】
［請求項１３］
無線装置が内蔵するコンピュータを、
他の装置の機能設定に必要な機能設定情報が光変調された可視光を発光する発光手段として機能させることを特徴とするプログラム。
【００７９】
［請求項１４］
撮像手段を備えた装置が内蔵するコンピュータを、
無線装置が発光する、機能設定情報が光変調された可視光を上記撮像手段で受光し、受光した当該可視光から光変調された上記機能設定情報を復調する復調手段、
上記無線装置と無線通信する無線通信手段、及び
上記復調手段で復調した上記機能設定情報を当該装置に設定する設定手段
として機能させることを特徴とするプログラム。
【符号の説明】
【００８０】
１…ネットワーク、
２…無線ＬＡＮルータ、
２ａ…発光部、
３…インクジェット複合機、
３ａ…発光部、
４…デジタルカメラ、
１１…光学レンズユニット、
１２…ＣＭＯＳイメージセンサ（ＩＳ）、
１３…画像処理部、
１４…表示部、
１５…タッチ入力部、
１６…マイクロホン、
１７…音声処理部、
１８…スピーカ、
１９…制御部、
２０…メインメモリ、
２１…プログラムメモリ、
２２…キー操作部、
２３…フラッシュ駆動部、
２４…イメージセンサ（ＩＳ）駆動部、
２５…通信処理部、
２６…メモリカードコントローラ、
２７…フラッシュ部、
２８…メモリカード、
２９…無線ＬＡＮアンテナ、
３０…カードコネクタ、
４１…制御部、
４２…印刷部、
４３…スキャナ部、
４４…カードリーダ／ライタ、
４５…表示部、
４６…タッチ入力部、
４７…記憶部、
４８…画像解析部、
４９…無線ＬＡＮインタフェース（Ｉ／Ｆ）、
５０…可視光発信部、
５１…ＵＳＢインタフェース（Ｉ／Ｆ）、
５２…無線ＬＡＮアンテナ、
５３…ＬＥＤ、
Ｂ，Ｂ２…システムバス。
【図２】
2015177417.tif 000003
【図３】
2015177417.tif 000004
【図４】
2015177417.tif 000005
【図５】
2015177417.tif 000006
【図１】
2015177417.tif 000007